【手続補正書】
【提出日】平成17年9月27日(2005.9.27)
【手続補正１】
【補正対象書類名】特許請求の範囲
【補正対象項目名】全文
【補正方法】変更
【補正の内容】
【特許請求の範囲】
【請求項１】
統合された血液処理用の統合モジュールのための支持部材において、所定数の側部（５３，５４，５５，５６）によって規定された前壁部（２５）と、この前壁部２５）の側部の各々から離れるように突出した少なくとも周壁部（３２）とを備えた主本体（６）を具備し、前記前壁部（２５）と周壁部（３２）とは、収容室（３３）を規定していることを特徴とする部材。
【請求項２】
前記前壁部（２５）は、基本的に平面であり、前記側部（５３，５４，５５，５６）は、基本的に直線形状であることを特徴とする請求項１の部材。
【請求項３】
前記前壁部（２５）は、基本的に平行であり互いに面している少なくとも第１の側部（５５，５６）と第２の側部（５３，５４）とを有していることを特徴とする前記全ての請求項のいずれか１の部材。
【請求項４】
前記前壁部（２５）は、各々が２つの湾曲部（５５Ａ，５５Ｂ；５６Ａ，５６Ｂ）を有し、ほぼ直線形に起立し、互いに対向している長い第１の側部（５５，５６）によって制限されており、前記湾曲部のキャビティは、夫々対向する側部に面していることを特徴とする請求項３の部材。
【請求項５】
前記湾曲部（５５Ａ，５５Ｂ；５６Ａ，５６Ｂ）の各々は、円弧形状に形成されていることを特徴とする請求項４の部材。
【請求項６】
前記前壁部（２５）は、ほぼ直線形に起立し、互いに対向している短い第２の側部（５３，５４）によって規定されており、前記第２の側部（５３，５４）の少なくとも一方は、２つの直線部（５３Ｂ，５３Ｃ）の間に位置された湾曲部（５３Ａ）を有し、この湾曲部（５３Ａ）のキャビティは、対向側部に面していることを特徴とする請求項３の部材。
【請求項７】
前記湾曲部（５３Ａ）は、円弧形状に形成されていることを特徴とする請求項６の部材。
【請求項８】
前記湾曲部（５３Ａ）を規定している円弧は、互いに対向している長い第１の側部（５５，５６）に形成された湾曲部（５５Ａ，５５Ｂ；５６Ａ，５６Ｂ）よりも大きな曲率半径を有していることを特徴とする請求項５もしくは７の部材。
【請求項９】
前記周壁部（３２）は、前壁部（２５）の全側部から離れるように突出していて、収容室（３３）を規定した基本的に連続している表面を規定していることを特徴とする前記全ての請求項のいずれか１の部材。
【請求項１０】
前記収容室（３３）は、支持部材（４）が使用されているときに体外の血液処理用のマシンに面するように設計された閉鎖壁を有さないアクセス開口部（５７）を有していることを特徴とする前記全ての請求項のいずれか１の部材。
【請求項１１】
前記主本体（６）は、前記前壁部（２５）を横断する平面を区分するほぼＣ字形状の外形を有していることを特徴とする前記全ての請求項のいずれか１の部材。
【請求項１２】
前記前壁部（２５）は、収容室（３３）を外部環境と連通させる所定数の貫通孔（５８）を有しており、少なくとも前記開口部（５８）は、前記湾曲部（５３Ａ，５５Ａ，５５Ｂ，５６Ａ，５６Ｂ）の各々に配置されていることを特徴とする請求項４もしくは６の部材。
【請求項１３】
前記湾曲部の各々に配置された前記開口部（５８）は、それぞれの前記円弧と同軸の丸い孔によって規定されていることを特徴とする請求項５，７、もしくは１２の部材。
【請求項１４】
前記前壁部（２５）、もしくは、全体の主本体（６）は、少なくとも部分的に透明であり、前記主本体（６）は、堅い材料で形成されていることを特徴とする前記全ての請求項のいずれか１の部材。
【請求項１５】
前記第２の側部の一方（５３）の直線部（５３Ｂ，５３Ｃ）に夫々取り付けられた少なくとも第１および第２の係合コネクタ（５９Ａ，５９Ｂ）を具備していることを特徴とする請求項６の部材。
【請求項１６】
前記長い第１の側部（５５，５６）の湾曲部（５５Ａ，５５Ｂ，５６Ａ，５６Ｂ）の各々の付近に夫々に取り付けられた係合コネクタの対（６０Ａ，６０Ｂ；６１Ａ，６１Ｂ；６３Ａ，６３Ｂ）を具備していることを特徴とする請求項４の部材。
【請求項１７】
前記係合コネクタ（５９Ａ，５９Ｂ，６０Ａ，６０Ｂ；６１Ａ，６１Ｂ；６３Ａ，６３Ｂ）は、主本体（６）と一体的に形成されていることを特徴とする請求項１５もしくは１６の部材。
【請求項１８】
前記コネクタ（５９Ａ，５９Ｂ，６０Ａ，６０Ｂ；６１Ａ，６１Ｂ；６３Ａ，６３Ｂ）は、周壁部（３２）に、例えば、周壁部（３２）の自由端部に取り付けられており、前記各係合コネクタ（５９Ａ，５９Ｂ，６０Ａ，６０Ｂ；６１Ａ，６１Ｂ；６３Ａ，６３Ｂ）は、収容室（３３）方向への隙間を規定していることを特徴とする請求項１５もしくは１６の部材。
【請求項１９】
前記主本体（６）に連結され、この主本体（６）に対して横方向に配置された支持構造体（６４）を更に具備しており、前記支持構造体（６４）は、主本体（６）にしっかりと固定されて、主本体と一体的に形成されていることを特徴とする前記全ての請求項のいずれか１の部材。
【請求項２０】
前記支持構造体（６４）は、前記長い側部（５５，５６）の一方に、好ましくは長い側部（５５，５６）の一方で主本体（６）に係合されていることを特徴とする請求項４もしくは１９の部材。
【請求項２１】
前記支持構造体（６４）は、前記支持部材（４）に連結された流体流通回路（１５）のチューブと夫々に係合するように設計された所定数の主座部（６６Ａ，６６Ｂ，６６Ｃ，６６Ｄ，６６Ｅ）を備えた位置決めフィン（６５）を有していることを特徴とする請求項１９の部材。
【請求項２２】
少なくとも２つ、一般的には３つの前記主座部（６６Ａ，６６Ｃ，６６Ｄ）が、長い第１の側部の一方（５５）の湾曲部（５５Ａ，５５Ｂ）付近に配置された夫々の係合コネクタ（６０Ａ，６０Ｂ，６１Ａ）に設けられていることを特徴とする請求項２１の部材。
【請求項２３】
前記３つの主座部（６６Ａ，６６Ｃ，６６Ｄ）と夫々の係合コネクタ（６０Ａ，６０Ｂ，６１Ａ）とは、平行なチューブを受けるように配置されていることを特徴とする請求項２２の部材。
【請求項２４】
前記位置決めフィン（６５）は、２つの主座部（６６Ｂ，６６Ｅ）を更に有し、前記支持構造体（６４）は、夫々に補助座部（６７Ａ，６８Ａ）を備えた２つの補助部（６７，６８）を有し、２つの前記主座部（６６Ｂ，６６Ｅ）は、３つの主座部（６６Ａ，６６Ｃ，６６Ｄ）によって支持されているチューブおよび互いに対して平行になるような複数のチューブの位置決めを可能にするように前記補助座部（６７Ａ，６８Ａ）と協働することを特徴とする請求項２２の部材。
【請求項２５】
前記収容室（３３）は、支持部材（４）と連結されるように設計された流体流通回路（１５）の少なくとも一部を収容していることを特徴とする前記全ての請求項のいずれか１の支持部材。
【請求項２６】
前記主本体（６）は、互いに直交しているＣ字形状の部分を有しており、このＣ字形状の部分は、前壁部（２５）に対して横方向に互いに直交するように延びている２つの平面を区分していることを特徴とする請求項１１の部材。
【請求項２７】
主本体（６）に連結され、支持部材（４）に連結されるチューブの正確な位置決めを可能にするように設計された少なくとも１つ、一般的には２つの位置決め突起（７２，７３）を更に具備しており、前記第１および第２の位置決め突起（７２，７３）は、収容室（３３）内に配置され、一般的に前壁部（２５）に接続されていることを特徴とする前記全ての請求項のいずれか１の部材。
【請求項２８】
互いに離間され、かつ主本体（６）に連結され、さらに支持部材（４）に設けられる血液処理ユニット（５）の対応する対向コネクタ（９，１０）と係合されるように設計されている少なくとも第１および第２のコネクタ（７，８）を具備している前記全ての請求項のいずれか１の支持部材。
【請求項２９】
前記第１および第２のコネクタ（７，８）は、主本体（６）に直接的に係合され、これと一体的に形成されている請求項２８の支持部材。
【請求項３０】
前記第１および第２のコネクタ（７，８）から離間され、主本体（６）に直接的に係合され、この主本体（６）と一体的に形成された第３のコネクタ（１１）を少なくとも具備しており、前記コネクタは、支持部材上に設けられた異なる血液処理ユニットに連結されている対応する対の対向コネクタと係合するように、中心軸の間に異なる距離を有するコネクタの対を規定している請求項２９の支持部材。
【請求項３１】
前記コネクタ（７，８，１１）の各々は、処理ユニット（５）によって支持されている夫々の対向コネクタに設けられた対応するチャネル（１３）と連通されるように設計された第１の端部（１２）と、主本体（６）に連結された流体流通回路と流体連通するように設計された第２の端部とを有する流体通路を規定している、前記全ての請求項のいずれか１の支持部材。
【請求項３２】
前記コネクタ（７，８，１１）の各々は、
第１の端部（１２）を規定している管状のチャネル（１６）と、
この管状のチャネルの径方向外方に配置されたシーリングカラー（１７）と、
各対向コネクタのためのリング形状の係合座部を形成するように、管状のチャネル（１６）の外面（１９）とシーリングカラー（１７）の内面（２０）との間で障害なしに起立している接続壁部とを有している、請求項３１の支持部材。
【請求項３３】
前記第１、第２、および第３のコネクタから離間された第４のコネクタ（２６）を具備しており、この第４のコネクタは、主本体（６）の一部であり、他のコネクタのうちの少なくとも１つと共に、他の対のコネクタが、支持部材（４）上に設けられた血液処理ユニット（５）に連結されている対応する対の対向コネクタと係合されるように規定している、請求項３０の支持部材。
【請求項３４】
前記第４のコネクタ（２６）は、
円筒形の中央の位置決め本体（２７）と、
円筒形の本体の径方向外方に配置されたシーリングカラー（２８）と、
前記円筒形の本体（２７）の外側面とカラー（２８）の内側面（３１）との間に障害なしに起立している接続壁部（２９）とを有し、
この第４のコネクタ（２６）は、処理ユニットの対向コネクタ用の係合およびフロー閉鎖本体を形成している、請求項３３の支持部材。
【請求項３５】
前記コネクタは、主本体（６）の１側面に配置されている、請求項２８、３０、もしくは３４の支持部材。
【請求項３６】
前記コネクタと支持構造体（６４）とは、長い第１の側部（５５，５６）で主本体（６）に対して横方向に配置されている、請求項３、１９、もしくは２８の支持部材。
【請求項３７】
周壁部（３２）のベース区域（３６）から動作座部に対して横方向外方に延びている補助構造体（３５）を具備し、前記コネクタ（７，８，１１，２６）は、この補助構造体（３５）から突出している、請求項３５もしくは３６の支持部材。
【請求項３８】
前記全ての請求項のいずれか１の支持部材（４）と、
この支持部材（４）に係合された少なくとも血液処理ユニット（５）と、
支持部材（４）に連結され、処理ユニット（５）と協働する流体流通回路（１５）とを具備しており、前記流体流通回路（１５）は、血液引き出しブランチ（４６）および血液戻りブランチ（４７）を備えた血液用のライン（４４）を少なくとも有し、前記血液用のライン（４４）は、前記湾曲部（５３Ａ）を備えた第２の側部（５３，５４）の一方で、前記支持部材（４）に対してＵ字形状に配置されたチューブ（４４Ａ）を少なくとも規定するように支持部材（４）に固定されているモジュール。
【請求項３９】
前記Ｕ字形状のチューブ（４４Ａ）は、支持部材（４）の周壁部（３２）の内方に延びていることを特徴とする、前記全ての請求項のいずれか１のモジュール。
【請求項４０】
前記位置決め突起（７２，７３）は、血液用のライン（４４）のＵ字形状のチューブ（４４Ａ）に作用して、これの位置を維持させることを特徴とする請求項２７もしくは３９のモジュール。
【請求項４１】
前記流体流通回路（１５）は、新しい透析液用の取り入れライン（４８）を少なくとも有し、この新しい透析液用の取り入れライン（４８）は、互いに対向している長い第１の側部（５５，５６）の一方で、支持部材（４）に対してＵ字形状に配置されたチューブ（４８Ａ）を少なくとも規定するように支持部材（４）に固定されていることを特徴とする請求項３８のモジュール。
【請求項４２】
前記Ｕ字形状のチューブ（４８Ａ）は、支持部材（４）の周壁部（３２）の内方に延びていることを特徴とする請求項４１のモジュール。
【請求項４３】
前記取り入れライン（４８）は、支持構造体（６４）で主本体（６）に固定されており、取り入れライン（４８）の少なくとも取り入れ部（７４）は、位置決めフィン（６５）の主座部（６６Ｃ）中と係合コネクタ（６０Ｂ）とに係合され、取り入れライン（４８）の少なくとも排出部（７５）は、位置決めフィン（６５）の主座部（６６Ａ）中と係合コネクタ（６０Ａ）とに係合されていることを特徴とする請求項２１もしくは４２のモジュール。
【請求項４４】
前記コネクタ（６０Ｂ，６０Ａ）に係合された取り入れ部（７４）および排出部（７５）は、直線形状に配置され、互いに平行に延びていることを特徴とする請求項４３のモジュール。
【請求項４５】
前記排出部（７５）は、流体を血液処理ユニット（５）へ運ぶように設計された取り入れブランチ（７６）と、流体を血液用のライン（４４）へ運ぶように設計された輸液ブランチ（７７）とに分岐させる分岐部を有していることを特徴とする請求項４３のモジュール。
【請求項４６】
輸液ブランチ（７７）および取り入れブランチ（７６）とにつながる前記分岐部は、係合コネクタ（６０Ａ）で規定されていることを特徴とする請求項４５のモジュール。
【請求項４７】
前記輸液ブランチ（７７）は、補助座部（６７Ａ）と他の主座部（６６Ｂ）とに固定されていることを特徴とする請求項４５のモジュール。
【請求項４８】
前記輸液ブランチ（７７）と取り入れブランチ（７６）とは、支持構造体に係合されているとき、直線形状に配置され、互いに平行に延びていることを特徴とする請求項４５のモジュール。
【請求項４９】
前記流体流通回路（１５）は、少なくとも輸液ライン（５１）を有しており、前記輸液ライン（５１）は、互いに対向している長い第１の側部（５５，５６）の一方で支持部材に固定されていて、支持部材（４）に対してＵ字形状に配置されたチューブを少なくとも規定するように支持部材（４）に取り付けられており、前記チューブ（５１Ａ）は、使用時にポンプ（３Ｄ）と協働するように設計されていることを特徴とする請求項３８ないし４９のいずれか１のモジュール。
【請求項５０】
前記Ｕ字形状に配置されたチューブ（５１Ａ）は、支持部材（４）の周壁部（３２）の内方に延びていることを特徴とする請求項４９のモジュール。
【請求項５１】
前記輸液ライン（５１）は、支持構造体（６４）で主本体（６）に固定されており、輸液ライン（５１）の少なくとも排出部（７８）は、位置決めフィン（６５）の主座部（６６Ｄ）中と係合コネクタ（６１Ａ）とに係合されていることを特徴とする請求項２１もしくは４９のモジュール。
【請求項５２】
前記排出部（７８）は、血液用のライン（４４）の引き出しブランチ（４６）へ流体を運ぶように設計された予輸液ブランチ（７９）と、血液用のライン（４４）の血液戻りブランチ（４７）へ流体を運ぶように設計された後輸液ブランチ（８０）とに通じた分岐部を有していることを特徴とする前記全ての請求項のいずれか１のモジュール。
【請求項５３】
予輸液ブランチ（７９）および後輸液ブランチ（８０）に通じた前記分岐部は、係合コネクタ（６１Ａ）で規定されていることを特徴とする前記全ての請求項のいずれか１のモジュール。
【請求項５４】
前記予輸液ブランチ（７９）は、位置決めフィン（６５）の補助座部（６８Ａ）と他の主座部（６６Ｅ）とに固定されていることを特徴とする請求項５２のモジュール。
【請求項５５】
前記予輸液ブランチ（７９）と後輸液ブランチ（８０）とは、支持構造体（６４）に係合されているとき、直線形状に配置され、互いに平行に延びていることを特徴とする請求項５２のモジュール。
【請求項５６】
前記流体流通回路（１５）は、少なくとも排出ライン（４５）を有しており、廃液用の前記排出ライン（４５）は、前記長い第１の側部（５５，５６）の一方で、支持部材に対してＵ字形状のチューブ（４５Ａ）を少なくとも規定するように支持部材（４）に固定されていることを特徴とする請求項３８もしくは５５のモジュール。
【請求項５７】
前記Ｕ字形状のチューブ（４５Ａ）は、支持部材（４）の周壁部（３２）の内方に延びていることを特徴とする請求項５６のモジュール。
【請求項５８】
前記排出ライン（４５）は、支持構造体（６４）に対して対向側部で主本体（６）に取り付けられ、この排出ライン（４５）の取り入れ部（８１）と排出部（８２）とが、対応する係合コネクタ（６２Ｂ，６２Ａ）に係合されていることを特徴とする請求項２１もしくは５６のモジュール。
【請求項５９】
前記流体流通回路（１５）は、補助的な予輸液ライン（５０）を少なくとも有し、この予輸液ライン（５０）は、互いに対向している長い第１の側（５５，５６）の一方で、支持部材に対してＵ字形状に配置されたチューブ（５０Ａ）を少なくとも規定するように支持部材（４）に取り付けられており、前記チューブ（５０Ａ）は、使用時にポンプ（３Ｅ）と協働するように設計されていることを特徴とする請求項３８ないし５８のいずれか１のモジュール。
【請求項６０】
前記Ｕ字形状のチューブ（５０Ａ）は、支持部材（４）の周壁部（３２）の内方に延びていることを特徴とする前記全ての請求項のいずれか１のモジュール。
【請求項６１】
前記補助的な予輸液ライン（５０）は、支持構造体（６４）に対する対向側部で主本体（６）に取り付けられており、前記補助的な予輸液ライン（５１）の少なくとも取り入れ部（８３）と排出部（８４）とは、対応する係合コネクタと係合されている事を特徴とする請求項２１もしくは５９のモジュール。
【請求項６２】
前記各Ｕ字形状のチューブ（４４Ａ，４５Ａ，４８Ａ，５０Ａ，５１Ａ）の長さは、（πＲ＋２Ｒ）よりも短いかこれと同じであり、この式で、Ｒは各チューブの曲率半径であることを特徴とする請求項３８，４１，４９，５６，もしくは５９のいずれか１のモジュール。
【請求項６３】
前記流体流通回路（１５）は、支持部材に固定されたラインを更に有しており、各ラインは、支持部材に対してチューブ形状に配置されたチューブ（，４５Ａ，４８Ａ，５０Ａ，５１Ａ）を少なくとも規定し、各チューブは、使用時に各ポンプ（３Ｂ，３Ｃ，３Ｄ，３Ｅ）と協働するように設計され、支持部材（４）は、血液用のライン（４４）の一部が取り付けられている第１の区域（２７４）と、この第１の区域に対向していて、他の流体用のライン（４５，４８，５０，５１）全てが取り付けられている第２の区域（２７５）とを有している、請求項３８の統合モジュール。
【請求項６４】
前記血液用のライン（４４）のＵ字形状のチューブ（４４Ａ）は、他の流体用のラインによって制限されたチューブ（４５Ａ，４８Ａ，５０Ａ，５１Ａ）より長いことを特徴とする請求項６３のモジュール。
【請求項６５】
血液用ラインの前記Ｕ字形状のチューブ（４４Ａ）は、他の流体ラインによって制限されたチューブよりも大きな曲率半径を有していることを特徴とする請求項３８ないし６４のいずれか１のモジュール。
【請求項６６】
前記第２の区域（２７５）は、並んで配置された少なくとも２つの半部品（２７５Ａ，２７５Ｂ）を有しており、廃液用の前記排出ライン（４５）の少なくともチューブ（４５Ａ）は、第２の半部品（２７５Ｂ）に取り付けられており、新しい液体用の取り入れライン（４８）の少なくともチューブ（４８Ａ）は、第１の半部品（２７５Ａ）に取り付けられていることを特徴とする請求項４１，５６，もしくは６３のモジュール。
【請求項６７】
前記第２の区域（２７５）は、並んで配置された少なくとも２つの半部品（２７５Ａ，２７５Ｂ）を有しており、輸液ライン（５１）の少なくともチューブ（５１Ａ）は、第１の半部品（２７５Ａ）に取り付けられており、前記補助的な予輸液ライン（５０）の少なくともチューブ（５０Ａ）は、第２の半部品（２７５Ｂ）に取り付けられていることを特徴とする請求項４９，５９，もしくは６３のモジュール。
【請求項６８】
前記第１の区域（２７４）は、湾曲部（５３Ａ）を備えた第２の側部の少なくとも一方（５３）と、湾曲部を備えた第２の側部（５３）の傍の、互いに対向している長い第１の側部（５５，５６）の一部分とによって部分的に規定されており、前記第２の区域（２７５）は、湾曲部を有さない第２の側部の一方（５４）と、湾曲部を有さない第２の側部（５４）の傍の、互いに対向している長い第１の側部（５５，５６）の一部分とによって部分的に規定されていることを特徴とする請求項６もしくは６３のモジュール。
【請求項６９】
モジュールが体外の血液処理マシン（２）に連結されているとき、前記支持部材（４）の第１の区域（２７４）は、支持部材の第２の区域（２７５）の下方に位置されており、また、モジュールが体外の血液処理マシン（２）に連結されているとき、前記支持部材（４）の第２の区域（２７５）の第１および第２の半部品（２７５Ａ，２７５Ｂ）は、並んで配置されていることを特徴とする請求項６３ないし６８のいずれか１のモジュール。
【請求項７０】
前記処理ユニット（５）は、少なくともコネクタ（７，８）の対で主本体（６）に取り付けられていることを特徴とする請求項３８ないし６９のいずれか１のモジュール。
【請求項７１】
前記コネクタ（７，８）の対は、対向コネクタ（９，１０）と流体流通回路（１５）の一部分との間に位置されていることを特徴とする請求項７０のモジュール。
【請求項７２】
前記処理ユニットは、
収容本体（４０）と、
この収容本体内で動作して第１および第２のチャンバを規定する少なくとも半透明の膜と、
前記収容本体に連結され、主本体（６）に連結された夫々のコネクタ（７，８）に取り付けられた第１および第２の対向コネクタ（９，１０）と、
第１のチャンバに通じた少なくともアクセス口（４２）と、
第１のチャンバからの少なくとも排出口（４３）とを具備しており、
前記第１および第２の対向コネクタの少なくとも一方は、処理ユニットの第２のチャンバと、コネクタ（７，８）の夫々の第１の端部（１２）および第２の端部（１４）とに流体連通されている、請求項３８のモジュール。
【請求項７３】
前記流体流通回路（１５）は、
少なくとも、コネクタ（７，８）の一方の第２の端部（１４）と流体連通されている廃液用の排出ライン（４５）と、
少なくとも、前記コネクタ（７，８）の一方の第２の端部（１４）と流体連通されている新しい透析液用の取り入れライン（４８）と、
少なくとも、前記第１のチャンバに通じたアクセス口（４２）と流体連通されている血液引き出しブランチ（４６）と、第１のチャンバからの排出口（４３）と流体連通されている血液戻りライン（４７）とを備えた血液用のライン（４４）とを有している、請求項７２のモジュール。
【請求項７４】
前記血液用のライン（４４）は、他の流体用のライン（４５，４８，５０，５１）とは異なる材料で作られたチューブを有していることを特徴とする、請求項７３のモジュール。
【請求項７５】
流体流通回路（１５）と協働するように設計された所定数のポンプ（３Ａ，３Ｂ，３Ｃ，３Ｄ，３Ｅ）を表面（１０１）に備えた本体（１００）を具備している体外血液処理マシンにおいて、前記マシンの本体（１００）は、表面（１０１）から突出していて、使用時には請求項１ないし６３のいずれか１の支持部材（４）の周壁部（３２）と連結されるように設計された案内および位置決め突起（１０２）を有していることを特徴とするマシン。
【請求項７６】
前記案内および位置決め突起（１０２）は、支持部材（４）の周壁部（３２）の外形に基本的に対応する形状にされた側面（１０３）を有していることを特徴とする前記全ての請求項のいずれか１のマシン。
【請求項７７】
前記ポンプ（３Ａ，３Ｂ，３Ｃ，３Ｄ，３Ｅ）は、マシンの本体（１００）の前記表面（１０１）から突出し、ポンプの側面の少なくとも一部分は、支持部材（４）の周壁部（３２）に対応した形状にされていることを特徴とする請求項７５のマシン。
【請求項７８】
前記支持部材（４）がマシン（２）に係合されているとき、支持部材（４）の周壁部（３２）は、ポンプ（３Ａ，３Ｂ，３Ｃ，３Ｄ，３Ｅ）と、案内および位置決め突起（１０２）との側面を囲んでいることを特徴とする前記全ての請求項のいずれか１のマシン。
【請求項７９】
前記突出するポンプ（３Ａ，３Ｂ，３Ｃ，３Ｄ，３Ｅ）と案内および位置決め突起（１０２）とは共に、座部（１０４Ａ，１０４Ｂ，１０４Ｃ，１０４Ｄ，１０４Ｅ）を例えば基本的に半円形に規定しており、これらの中に対応するＵ字形状のチューブ（４４Ａ，４５Ａ，４８Ａ，５０Ａ，５１Ａ）が係合されていることを特徴とする請求項７５ないし７８のいずれか１のマシン。
【請求項８０】
前記ポンプの少なくとも１つは、流体流通回路（１５）の血液ポンプ（４４）と協働するように設計された血液ポンプ（３Ａ）であり、前記マシンの本体（１００）は、血液ポンプ（３Ａ）を備えた第１の区域（１７４）と、この第１の区域に対向していて他のポンプ（３Ｂ，３Ｃ，３Ｄ，３Ｅ）を備えている少なくとも第２の区域（１７５）とを、表面（１０２）で規定していることを特徴とする請求項７５ないし７９のいずれか１の体外の血液処理マシン。
【請求項８１】
前記ポンプの少なくとも１つは、取り入れポンプ（３Ｃ）であり、流体流通回路（１５）の新しい透析液用の取り入れライン（４８）と協働するように設計されており、前記第２の区域（１７５）は、並んで配置された少なくとも２つの半部品（１７５Ａ，１７５Ｂ）を有しており、前記取り入れポンプ（３Ｃ）は、この第１の半部品（１７５Ａ）内に配置されていることを特徴とする請求項８０のマシン。
【請求項８２】
動作状態では、マシンの本体（１００）の前記第１の区域（１７４）は、本体の第２の区域（１７５）の下方に位置されており、また、動作状態では、マシンの本体（１００）の第２の区域（１７５）の前記第１および第２の半部品（１７５Ａ，１７５Ｂ）は、並んで配置されていることを特徴とする請求項８０もしくは８１のマシン。
【請求項８３】
前記ポンプの少なくとも１つは、流通回路（１５）の排出ライン（４５）と協働するように設計された吸引ポンプ（３Ｄ）であり、前記第２の区域（１７５）は、並んで配置された少なくとも２つの半部品（１７５Ａ，１７５Ｂ）を有し、前記吸引ポンプ（３Ｂ）は、第２の半部品（１７５Ｂ）内に配置されていることを特徴とする請求項８０ないし８２のいずれか１のマシン。
【請求項８４】
前記ポンプの少なくとも１つは、流通回路（１５）の輸液ライン（５１）と協働するように設計された輸液ポンプ（３Ｄ）であり、また、前記第２の区域は、並んで配置された少なくとも２つの半部品（１７５Ａ，１７５Ｂ）を有し、前記輸液ポンプ（３Ｄ）は、第１の半部品（１７５Ａ）内に配置されていることを特徴とする請求項８０ないし８３のいずれか１のマシン。
【請求項８５】
前記ポンプの少なくとも１つは、流通回路（１５）の補助的な予輸液ライン（５０）と協働するように設計された補助的な予輸液ポンプ（３Ｅ）であり、また、前記第２の区域（１７５）は、並んで配置された少なくとも２つの半部品（１７５Ａ，１７５Ｂ）を有し、前記補助的な予輸液ポンプ（３Ｅ）は、第２の半部品（１７５Ｂ）内に配置されていることを特徴とする請求項８０ないし８４のいずれか１のマシン。
【請求項８６】
前記血液、取り入れ、排出、輸液、および補助的な予輸液用のポンプは、蠕動ポンプであり、これら蠕動ポンプの各々は、支点の周りを回転する可動アーム部と、この可動アーム部と一緒に回転するようにこのアーム部に取り付けられていて、連結された変形可能なチューブに少なくとも作用する可動部材とを有していることを特徴とする請求項８０，８１，８３，８４，もしくは８５のマシン。
【請求項８７】
請求項３８ないし７４のいずれか１の統合された流体処理用のモジュールを受けるように設計されていることを特徴とする請求項７５ないし８６のいずれか１のマシン。
【請求項８８】
請求項３８ないし７４のいずれか１の統合モジュールを具備している請求項７５ないし８６のいずれか１のマシンにおいて、輸液ブランチ（７７）もしくは取り入れブランチ（７６）内の流体の流れをブロックするか通すかを選択決定するように、主本体（５２）に係合された支持構造体（６４）上で輸液ブランチ（７７）並びに／もしくは取り入れブランチ（７６）に作用する可動部材（１０５）を具備しており、この可動部材（１０５）は、マシンの本体（１００）に直接的に設けられていることを特徴とするマシン。
【請求項８９】
請求項３８の統合モジュールを具備している請求項７５ないし８７のいずれか１のマシンにおいて、予輸液ブランチ（７９）もしくは後輸液ブランチ（８０）内の流体の流れをブロックするか通すかを選択決定するように、予輸液ブランチ（７９）並びに／もしくは後輸液ブランチ（８０）に作用する可動部材（１０６）を更に具備しており、この可動部材（１０６）は、マシンの本体（１００）に直接的に設けられていることを特徴とするマシン。